(57)【要約】【課題】使用者の作業空間を照らすための照明装置が設けられた空間形成具を提供すること。【解決手段】空間形成具１は、正面パネル（１１）と、第１補助パネル（１２）、第２補助パネル（１３）、第１側面パネル（１４）、第２側面パネル（１５）とを載置台（２）に立設することによって空間を形成し、正面パネル（１１）の正面（１１ｃ）に、前記空間へ向けて光を照射する照明装置（３１）が設けられている。【選択図】図３
0003232882.tif 000002
【実用新案登録請求の範囲】
【請求項１】
正面パネルと、前記正面パネルの両側端それぞれに前記正面パネルに対して屈曲自在に設けられた補助パネルと、前記補助パネルのそれぞれに前記補助パネルに対して屈曲自在に設けられた側面パネルとを載置台に立設することによって空間を形成する空間形成具であって、
前記正面パネルおよび前記側面パネルの少なくともいずれかの前記空間の形成面に、前記空間へ向けて光を照射する照明装置が設けられている、空間形成具。
【請求項２】
前記照明装置は、前記形成面の上端側に設けられている、請求項１に記載の空間形成具。
【請求項３】
前記照明装置は、前記照射の方向を水平方向から重力方向までの範囲内で切替える機構を備える、請求項１または２に記載の空間形成具。
【請求項４】
前記照明装置は、板状に形成されており、厚み方向において前記形成面と対向するように設けられる、請求項１〜３の何れか１項に記載の空間形成具。
【請求項５】
前記照明装置は、前記形成面に内蔵された磁性体金属により着脱自在である、請求項１〜４の何れか１項に記載の空間形成具。
【請求項６】
前記側面パネルの少なくとも一方の前記形成面に収納ポケットが設けられ、
前記収納ポケットの底面は、当該側面パネルの底面と面一である、請求項１〜５の何れか１項に記載の空間形成具。
【請求項７】
一方の前記側面パネルの前記形成面を前記正面パネルの前記形成面に対向するように屈曲させ、かつ、他方の前記側面パネルの前記形成面を当該屈曲させた前記一方の側面パネルの前記形成面の反対面に対向するように屈曲させた状態を維持する維持部材と、
一方端が前記正面パネルの底部に固定され、他方端が前記他方の側面パネルに着脱自在に設けられ、前記状態における前記正面パネルおよび前記側面パネルの底部の各々を覆うカバーと、が設けられている、請求項１〜６の何れか１項に記載の空間形成具。
【請求項８】
前記正面パネルの前記形成面の反対面と、前記側面パネルの前記形成面の反対面とに、一対の持ち運び用ベルトが設けられている、請求項１〜７の何れか１項に記載の空間形成具。
【請求項９】
前記正面パネルの前記形成面の反対面に、収納ポケットが設けられている、請求項１〜８の何れか１項に記載の空間形成具。
【考案の詳細な説明】
【技術分野】
【０００１】
本考案は、デスクワークのための空間を形成する空間形成具に関する。
【背景技術】
【０００２】
近年、リビングルームで学習や仕事などのデスクワークを行う機会が増えている。しかしながら、リビングルームは、家族が居たりテレビがついていたりするため、注意が逸らされやすいという問題がある。
【０００３】
特許文献１に開示されているデスクトップ用間仕切りは、正面パネル等で囲まれた遮蔽空間を形成し、デスクワークに集中できる作業空間を提供する。
【先行技術文献】
【特許文献】
【０００４】
【特許文献１】実用新案登録第３１８０１２７号
【考案の概要】
【考案が解決しようとする課題】
【０００５】
特許文献１に開示されたデスクトップ用間仕切りを設置する環境によっては、形成される遮蔽空間が暗がりになる場合がある。この場合、遮蔽空間を照らすための電気スタンド等の照明装置を別途用意する必要が生じる。しかも、遮蔽空間内に照明装置を設置すると、その領域分だけ使用者の作業空間が狭くなってしまう。さらに、デスクトップ用間仕切りを持ち運ぶ際、照明装置を個別に持ち運ぶ必要が生じる。
【０００６】
本考案の一態様は、使用者の作業空間を照らすための照明装置が設けられた空間形成具を提供することを目的とする。
【課題を解決するための手段】
【０００７】
上記の課題を解決するために、本考案の一態様に係る空間形成具は、正面パネルと、前記正面パネルの両側端それぞれに前記正面パネルに対して屈曲自在に設けられた補助パネルと、前記補助パネルのそれぞれに前記補助パネルに対して屈曲自在に設けられた側面パネルとを載置台に立設することによって空間を形成する空間形成具であって、前記正面パネルおよび前記側面パネルの少なくともいずれかの前記空間の形成面に、前記空間へ向けて光を照射する照明装置が設けられている。
【考案の効果】
【０００８】
本考案の一態様によれば、照明装置が空間形成具を構成するパネルに設けられているので、空間形成具を持ち運ぶ際に照明装置を個別に持ち運ぶ必要がないという効果を奏する。
【図面の簡単な説明】
【０００９】
【図１】本考案の一実施形態に係る空間形成具の空間形成状態時の正面から見た斜視図である。
【図２】図１に示す空間形成具の空間形成状態時の六面図である。
【図３】図１に示す空間形成具の空間形成状態時での使用例を示す図である。
【図４】図３に示す空間形成具の空間形成状態から持ち運び可能な状態への遷移を示す図である。
【図５】図４に示す空間形成具の持ち運び可能な状態における六面図である。
【図６】図３に示す空間形成具に装着した照明装置の光照射の方向を説明する図である。
【図７】図１に示す空間形成具の空間形成状態時の側面パネルの収納ポケットの取り付け構造を示す図である。
【図８】図４に示す持ち運び可能な状態の空間形成具を使用者が持ち運ぶ例を示す図である。
【考案を実施するための形態】
【００１０】
以下、本考案の一実施形態に係る空間形成具１について、詳細に説明する。空間形成具１は、使用者が学習や仕事などのデスクワークを行うための作業空間（以下、単に空間と称する場合がある）を形成するために用いられる。
【００１１】
（空間形成具の概略）
図１〜図３を参照しながら、空間形成具１の概略について説明する。図１は、空間形成具１の各パネルを載置台２上で立設し、且つ各パネルを展開した状態を示す。図２は、図１に示す空間形成具１の六面図を示し、符号１０２１で示す図は、空間形成具１の正面図を示し、符号１０２２で示す図は、符号１０２１で示す空間形成具１の上面図を示し、符号１０２３で示す図は、符号１０２１で示す空間形成具１の下面図を示し、符号１０２４で示す図は、符号１０２１で示す空間形成具１の左側面図を示し、符号１０２５で示す図は、符号１０２１で示す空間形成具１の右側面図を示し、符号１０２６で示す図は、符号１０２１で示す空間形成具１の背面図を示す。図３は、図１に示す空間形成具１の使用例を示す。
【００１２】
空間形成具１は、図１および図２に示すように、正面パネル１１、第１補助パネル１２、第２補助パネル１３、第１側面パネル１４、第２側面パネル１５の５枚のパネルで構成されている。空間形成具１は、これら５枚のパネルを用いて載置台２上に空間を形成する。具体的には、空間形成具１は、５枚のパネルがそれぞれ隣接するパネルに対して任意の角度に折曲げられることで、載置台２上に作業スペースとなる空間を形成する。
【００１３】
正面パネル１１は、他の４枚のパネルと高さは同じで、最も幅が広いパネルで構成されている。正面パネル１１の幅方向の両側端のうち一方の側端１１ａには、第１補助パネル１２が当該正面パネル１１に対して屈曲自在に設けられ、他方の側端１１ｂには、第２補助パネル１３が当該正面パネル１１に対して屈曲自在に設けられている。
【００１４】
正面パネル１１における空間の形成面となる正面１１ｃには、一例として、上部側に２つの第１取付部２１が同じ高さに設けられ、第１取付部２１の下方に、２つの第２取付部２２が同じ高さに設けられている。第１取付部２１および第２取付部２２は、正面パネル１１の正面１１ｃに内蔵された磁性体金属、例えば鉄板で構成される。具体的には、正面パネル１１を構成する板状の部材に鉄板を貼り付けることで第１取付部２１、第２取付部２２を形成している。これにより、第１取付部２１、第２取付部２２には、マグネットが吸着可能となる。したがって、例えば図３に示すように、２つの第１取付部２１には、マグネット（図示せず）を有する照明装置３１が着脱自在に取付けられ、２つの第２取付部２２には、それぞれ作業用のプリント３３が取付け用のマグネット３２によって取付けられてもよい。
【００１５】
第１補助パネル１２は、５枚のパネルの中で最も幅が狭いパネルで構成されている。第１補助パネル１２の両側端のうち、正面パネル１１に設けられている側端１２ａと反対側の側端１２ｂには、第１側面パネル１４が当該第１補助パネル１２に対して屈曲自在に設けられている。
【００１６】
第２補助パネル１３は、第１補助パネル１２と同サイズのパネルで構成されている。第２補助パネル１３の両側端のうち、正面パネル１１に設けられている側端１３ａと反対側の側端１３ｂには、第２側面パネル１５が当該第２補助パネル１３に対して屈曲自在に設けられている。
【００１７】
第１補助パネル１２および第２補助パネル１３は、第１側面パネル１４および第２側面パネル１５を閉じた状態（例えば図５に示す状態）で、第１側面パネル１４および第２側面パネル１５と正面パネル１１との間に所定の空間（隙間）を形成するためのパネルである。この場合の所定の空間は、正面パネル１１に取付けられた照明装置３１およびマグネット３２に、第１側面パネル１４および第２側面パネル１５に設けられた収納ポケット４２、収納ポケット５２との干渉が少なく、且つ、空間形成具１を持ち運ぶ際に、持ち運び易い厚みになるような大きさの空間が好ましい。この空間に合わせて第１補助パネル１２、第２補助パネル１３の幅を決めればよい。
【００１８】
第１側面パネル１４は、幅が正面パネル１１より狭く、第１補助パネル１２よりも広いパネルで構成されている。第１側面パネル１４における空間の形成面である正面１４ａには、一例として、上部側にクリアポケット４１が設けられ、クリアポケット４１の下方に２つの収納ポケット４２が設けられている。例えば図３に示すように、クリアポケット４１には、作業時に参照するプリント類４３を収納するようにしてもよい。プリント類４３とは、学習用であれば、時間割表、ひらがな表などである。一方、収納ポケット４２は２つ設けられているので、例えば一方の収納ポケット４２に、ハサミ、消しゴム、ステープラ等の文房具４４を収納し、他方の収納ポケット４２に、鉛筆、ボールペン等の筆記具４５を収納するようにしてもよい。
【００１９】
なお、クリアポケット４１、収納ポケット４２は、第１側面パネル１４の正面１４ａに固定するように設けてもよいし、第１側面パネル１４の正面１４ａに着脱自在に設けてもよい。また、クリアポケット４１の数についても、１個に限定されるものではなく、２個以上であってもよい。さらに、収納ポケット４２の数についても、２個に限定されるものではなく、３個以上、または１個であってもよい。また、収納ポケット４２の収容口は、ファスナー等により開閉可能であってもよい。
【００２０】
第２側面パネル１５は、正面パネル１１よりも幅が狭く、且つ第１側面パネル１４よりも幅が広いパネルで構成されている。第２側面パネル１５の正面１５ａには、上部側に第３取付部５１が設けられ、第３取付部５１の下方に収納ポケット５２が設けられている。第３取付部５１は、第１取付部２１、第２取付部２２と同様に、第２側面パネル１５の正面１５ａに内蔵された磁性体金属、例えば鉄板で構成される。具体的には、第２側面パネル１５を構成する板状の部材に鉄板を貼り付けることで第３取付部５１を構成している。これにより、第３取付部５１には、マグネットが吸着可能となる。したがって、例えば図３に示すように、第３取付部５１には、作業用のプリント５３が取付け用のマグネット３２によって取付けてもよい。一方、収納ポケット５２には、作業用のノート類５４を収納してもよい。ノート類５４とは、学習用であれば、学習ドリルなどである。
【００２１】
なお、収納ポケット５２は、第２側面パネル１５の正面１５ａに固定するように設けてもよいし、第２側面パネル１５の正面１５ａに着脱自在に設けてもよい。また、収納ポケット５２の数についても、１個に限定されるものではなく、２個以上であってもよい。
【００２２】
（パネル詳細）
正面パネル１１、第１補助パネル１２、第２補助パネル１３、第１側面パネル１４および第２側面パネル１５は、それぞれ合成樹脂板、木材板、厚紙、段ボール等の軽量、且つある程度の剛性を有する板状の部材で構成されるのが好ましい。これら、正面パネル１１、第１補助パネル１２、第２補助パネル１３、第１側面パネル１４および第２側面パネル１５は、各パネルを個別に保持し、各パネルを一体的に覆う布等のカバー（図示せず）で被覆されていることが好ましい。このように、各パネルは、個別に保持できるカバーに被覆されることで、隣接するパネルに対して屈曲自在に接続された状態となる。このカバーに色付けることで、使用者は好みの色のカバーで覆われたパネルで構成された空間形成具１を選択することが可能となる。
【００２３】
なお、正面パネル１１、第１補助パネル１２、第２補助パネル１３、第１側面パネル１４、第２側面パネル１５は、上述したように、個別のパネルで構成してもよいし、一枚のパネル、例えば一枚の段ボールを用いて、隣接するパネルの接続部に折り目を設けて構成してもよい。また、各パネルのうち、任意の枚数のパネルを一体的に形成してもよい。例えば、正面パネル１１、第１補助パネル１２、第２補助パネル１３の３枚のパネルを一枚のパネルで一体的に形成し、残りの第１側面パネル１４、第２側面パネル１５を別々のパネルで形成したり、正面パネル１１を一枚のパネルで形成し、第１補助パネル１２と第１側面パネル１４の２枚のパネルを一枚のパネルで一体的に形成し、第２補助パネル１３と第２側面パネル１５の２枚のパネルを一枚のパネルで一体的に形成してもよい。一体的に形成したパネルは、隣接するパネルの接続部に折り目を設けることで、各パネルを屈曲自在とする。
【００２４】
なお、本実施形態において、正面パネル１１のサイズは、一例として、縦４０ｃｍ、横４５ｃｍである。第１補助パネル１２、第２補助パネル１３は、同サイズであり、一例として、縦４０ｃｍ、横５ｃｍである。第１側面パネル１４、一例として、縦４０ｃｍ、横３９ｃｍ、第２側面パネル１５は、一例として、縦４０ｃｍ、横４１ｃｍである。これにより、空間形成具１は、各パネルを閉じた状態、すなわち持ち運び可能な状態（例えば図４の符号１０４３に示す状態）のとき、一例として、縦４０ｃｍ、横４５ｃｍ、幅５ｃｍの長方形状体となる。なお、各パネルのサイズは一例であり、これらに限定されるものではない。
【００２５】
ここで、正面パネル１１のサイズは、第２取付部２２によって取付け可能とするプリント３３のサイズに応じたサイズに設定するのが好ましい。例えば、２つの第２取付部２２のそれぞれに取付け可能なプリント３３のサイズをＡ４サイズ（縦２９．７ｃｍ×横２１ｃｍ）とする場合、少なくとも、２枚分のＡ４サイズ（縦５９．４ｃｍ×横４２ｃｍ）に、照明装置３１を取付ける第１取付部２１のサイズを加えて、正面パネル１１のサイズとすればよい。このようにして設定された正面パネル１１のサイズに合わせて、第１補助パネル１２、第２補助パネル１３、第１側面パネル１４、および第２側面パネル１５のサイズを決めるのが好ましい。
【００２６】
ここで、上記構成の空間形成具１を用いて作業を行う際には、図１に示すように、空間形成具１の各パネルを展開して、載置台２上に立設させ、図３に示すように、照明装置３１を取り付ける等の準備を行う。照明装置３１が予め第１取付部２１に取り付けられている場合は、当該取り付ける準備は不要である。作業終了後は、空間形成具１の各パネルを閉じて持ち運び可能な状態にする。以下に、図４および図５を参照しながら、空間形成具１の片付け方について説明する。
【００２７】
（空間形成具の片付け方）
図４は、空間形成具１を、図３に示すように、作業空間を形成し、且つ、プリント類等を収納した状態した状態から、各パネルを折り畳み、持ち運び可能な状態への遷移を示す図である。図５は、図４に示す空間形成具１の持ち運び可能な状態での六面図を示し、符号１０５１で示す図は、空間形成具１の正面図を示し、符号１０５２で示す図は、符号１０５１で示す空間形成具１の上面図を示し、符号１０５３で示す図は、符号１０５１で示す空間形成具１の下面図を示し、符号１０５４で示す図は、符号１０５１で示す空間形成具１の左側面図を示し、符号１０５５で示す図は、符号１０５１で示す空間形成具１の右側面図を示し、符号１０５６で示す図は、符号１０５１で示す空間形成具１の背面図を示す。
【００２８】
図３に示すように空間形成具１を使用している状態から各パネルを閉じて、持ち運び可能な状態にするには、まず、図４の符号１０４１に示すように、第１側面パネル１４を正面パネル１１側に対向させるように屈曲させる。
【００２９】
続いて、図４の符号１０４２に示すように、第２側面パネル１５を、正面パネル１１側に屈曲させて、既に屈曲した状態の第１側面パネル１４に重ねる。このとき、正面パネル１１の背面１１ｄ側に設けられた第１維持部材６１と、第２側面パネル１５の背面１５ｂに設けられた第２維持部材６２とによって、第１側面パネル１４の正面１４ａを正面パネル１１の正面１１ｃに対向するように屈曲させ、かつ、第２側面パネル１５の正面１５ａを屈曲させた第１側面パネル１４の背面１４ｂに対向するように屈曲させた状態を維持する。
【００３０】
具体的には、第１維持部材６１として面ファスナーを用いる。第１維持部材６１は、一端を正面パネル１１の背面１１ｄに固定し、他端にフック部６１ａを設け、このフック部６１ａを第２側面パネル１５の背面１５ｂに設けられたループ部６１ｂに着脱可能に結合する。さらに、第２維持部材６２としてホックを用いる。第２維持部材６２は、一端を第２側面パネル１５の背面１５ｂに固定し、他端にホックのオス部６２ａを設け、このオス部６２ａを第１側面パネル１４の背面１４ｂに設けられたホックのメス部６２ｂに着脱自在に係合する。これにより、図４の符号１０４２に示すように、第１側面パネル１４および第２側面パネル１５が正面パネル１１側に屈曲した状態を維持する。
【００３１】
さらに、第１側面パネル１４と第２側面パネル１５との屈曲を維持した状態で、図４の符号１０４３に示すように、正面パネル１１、第１側面パネル１４および第２側面パネル１５によって形成される空間を下側から正面パネル１１に形成されたカバー６３によって覆う。このカバー６３は、幅が正面パネル１１の幅と同じか少し長く、且つ長さは、正面パネル１１の背面１１ｄから第２側面パネル１５の背面１５ｂの下端側に届く長さに調整された長方形状の布からなる。なお、カバー６３は、布に限定されるものではなく、他の材料、例えば不織布、ビニール等であってもよい。
【００３２】
カバー６３は、一端が正面パネル１１の背面１１ｄの下端側で固定され、他端が面ファスナーによって第１側面パネル１４および第２側面パネル１５に着脱自在に固定される。具体的には、カバー６３における、第１側面パネル１４および第２側面パネル１５側には、フック部６３ａを３箇所設け、２箇所のフック部６３ａは第２側面パネル１５に設けられたループ部６３ｂに着脱自在に結合させ、残りのフック部６３ａは第１側面パネル１４に設けられたループ部６３ｂに着脱自在に結合させる。
【００３３】
以上のように、第１維持部材６１は、第１側面パネル１４の空間の形成面である正面１４ａに対向するように屈曲させ、かつ、第２側面パネル１５の空間の形成面である正面１５ａを当該屈曲させた第１側面パネル１４の正面１４ａの反対面である背面１４ｂに対向するように屈曲させた状態を維持する。
【００３４】
また、カバー６３は、一方端が正面パネル１１の底部に固定され、他方端が第２側面パネル１５の背面１５ｂと第１側面パネル１４の背面１４ｂに着脱自在に設けられ、第１維持部材６１による第１側面パネル１４および第２側面パネル１５の屈曲状態における正面パネル１１および第１側面パネル１４、第２側面パネル１５の底部の各々を覆う。このように、カバー６３によって正面パネル１１および第１側面パネル１４、第２側面パネル１５の底部が覆われるので、空間形成具１の持ち運び時に、収納ポケット４２、５２に入れた収納物の落下を防ぐことができる。しかも、カバー６３は、正面パネル１１に設けられているので、別途カバーを持ち歩く必要がない。
【００３５】
（照明装置）
空間形成具１に着脱される照明装置３１は、正面パネル１１の上端側に設けられているので、空間形成具１の各パネルを展開して形成された空間に対して上方から光を照射することができる。照明装置３１は、光の照射の方向を切替えることが可能に正面パネル１１に取付けられている。具体的には、照明装置３１は、光の照射の方向を水平方向から重力方向までの範囲内で切替える機構を備える。以下に、照明装置３１における光の照射方向の切替える機構について説明する。
【００３６】
図６は、照明装置３１による光の照射方向の切替えを説明するための図である。照明装置３１は、図６に示すように、内部に複数のＬＥＤ光源を有する板状に形成された照明装置本体３０１と、照明装置本体３０１に電源を供給する電源ケーブル３０２と、照明装置本体３０１を正面パネル１１に取付けるための取付具３０３とを含んでいる。
【００３７】
取付具３０３は、照明装置本体３０１を短手方向で挟み込んで固定する第１固定部３０３ａと、一端部で第１固定部３０３ａと回動自在に支持され、他端部で第１取付部２１に取付けられる第２固定部３０３ｂとを含んでいる。第２固定部３０３ｂは、他端部に内蔵されたマグネット（図示せず）によって第１取付部２１に着脱自在に取付けられる。すなわち、照明装置３１は、正面パネル１１の正面１１ｃに設けられた第１取付部２１、すなわち正面パネル１１に内蔵された磁性体金属の一種である鉄板に着脱自在に取付けられる。このように、照明装置３１が着脱自在であることで、照明装置３１の取り外し、付け替えが容易に可能となる。例えば、照明装置３１の修理が必要な場合、照明装置３１だけを取り外して修理を行うことが可能となる。
【００３８】
また、正面パネル１１の第１取付部２１に他端部が取付けられた第２固定部３０３ｂの一端部において、第１固定部３０３ａは回動自在となる。つまり、第１固定部３０３ａによって固定された照明装置本体３０１も回動自在となる。
【００３９】
正面パネル１１が載置台２に対して垂直に立設した状態であれば、図６の符号１０６１および符号１０６２に示すように、照明装置本体３０１の照射面３０１ａと反対側の面が、当該照明装置本体３０１の厚み方向において正面パネル１１の正面１１ｃと対向するように取付具３０３によって第１取付部２１に取付けられていれば、照明装置３１の光照射の方向は水平方向となる。この状態で、取付具３０３の第１固定部３０３ａを回動させることで、照明装置本体３０１の照射面３０１ａの光照射の方向を変えることができる。
【００４０】
図６の符号１０６３および符号１０６４は、照明装置本体３０１の照射面３０１ａの光照射の方向が水平方向から少し下向きの方向に切り替った状態を示す。さらに、図６の符号１０６５および符号１０６６は、照明装置本体３０１の照射面３０１ａの光照射の方向が重力方向に切り替った状態を示す。よって、照明装置３１は、取付具３０３によって、照明装置本体３０１の照射面３０１ａからの光照射の方向を水平方向から重力方向までの範囲内で切替える機構を実現している。このように、照明装置３１の照射の方向が切替え可能であることで、形成された空間のうち、所望する領域を照らすことが可能となる。よって、使用者が作業し易い環境を提供することが可能となる。
【００４１】
さらに、照明装置３１は、正面パネル１１の正面１１ｃの上端側に設けられている。このように、照明装置３１が正面パネル１１の正面１１ｃの上端側に設けられていることで、形成された空間を上方側から照らすことができる。これにより、照明光は、載置台２を向いて作業する使用者の邪魔にならず、使用者が作業し易い環境を提供することが可能となる。
【００４２】
なお、本実施形態では、照明装置３１を正面パネル１１の正面１１ｃに取付ける例について説明したが、照明装置３１の取付け位置については限定するものではなく、第１側面パネル１４の正面１４ａであってもよいし、第２側面パネル１５の正面１５ａであってもよい。すなわち、照明装置３１は、図３に示すように、空間形成具１の各パネルを展開して作業空間を形成したときに、作業空間に向けて光を照射できる位置であれば、３枚のパネル（正面パネル１１、第１側面パネル１４、第２側面パネル１５）の何れに設けてもよい。または、第１補助パネル１２、第２補助パネル１３の少なくとも一方に、小型の照明装置３１を設けてもよい。このように、空間形成具１が形成する空間を照らす照明装置３１が、正面パネル１１、第１側面パネル１４、第２側面パネル１５の少なくとも一つのパネルに設けられていることで、電気スタンド等の照明装置を別途用意する必要がない。また、使用者の作業空間内に電気スタンド等の照明装置を設置するスペースを確保する必要がないので、作業し易い環境を提供することが可能となる。しかも、照明装置３１がパネルに設けられているので、空間形成具１を持ち運ぶ際に照明装置３１を個別に持ち運ぶ必要がないため、使用者の負担を軽減することができる。
【００４３】
また、照明装置３１は、内部に複数のＬＥＤ光源を有する板状に形成され、厚み方向において正面パネル１１の正面１１ｃと対向するように設けられた照明装置本体３０１を用いている。このように、板状の照明装置本体３０１が正面パネル１１の正面１１ｃに沿うように設けられるので、パネルの屈曲に際して照明装置が邪魔にならない。なお、照明装置３１の照明装置本体３０１は、板状に限定されるものではなく、他の構造、例えば棒状であってもよい。
【００４４】
照明装置３１は、電源を電源ケーブル３０２によって外部から供給するようになっているが、これに限定されるものではなく、電源として一次電池または二次電池を照明装置本体３０１に内蔵させてもよい。この場合には、外部から電源を供給する必要がないため、外部電源のない場所であっても、空間形成具１で形成された作業空間に光を照射することが可能となる。
【００４５】
（収納ポケット）
空間形成具１において、作業空間を安定して形成するには、各パネルを安定して立設させる必要がある。各パネルを安定して立設させるために、上述した収納ポケット４２、収納ポケット５２を用いる。この点について、図７を参照しながら以下に説明する。
【００４６】
図７は、側面パネルの底面と収納ポケットの底面との関係を示す。第１側面パネル１４の収納ポケット４２は、図７の符号１０７１に示すように、第１側面パネル１４の底面１４ｃと、収納ポケット４２の底面４２ａとが面一になるように、第１側面パネル１４に設けられている。一方、第２側面パネル１５の収納ポケット５２は、図７の符号１０７２に示すように、第２側面パネル１５の底面１５ｃと、収納ポケット５２の底面５２ａとが面一になるように、第２側面パネル１５に設けられている。このように、収納ポケット４２、５２の底面４２ａ、５２ａが側面パネルの底面１４ｃ、１５ｃと面一であることで、第１側面パネル１４および第２側面パネル１５を載置台２に載置する際に、収納ポケット４２の底面４２ａ、収納ポケット５２の底面５２ａも載置台２に接触することになる。従って、これらの収納ポケット４２、５２によって空間形成具１の立設時の安定性が増す。
【００４７】
なお、空間形成具１の各パネルを安定して立設させるには、第１側面パネル１４の底面１４ｃと収納ポケット４２の底面４２ａと、第２側面パネル１５の底面１５ｃと収納ポケット５２の底面５２ａとの両方を面一にするのが好ましいが、何れか一方のみが面一であってもよい。また、収納ポケット４２の底面４２ａと第１側面パネル１４の底面１４ｃとが同時に載置台２に接触し、且つ、収納ポケット５２の底面５２ａと第２側面パネル１５の底面１５ｃとが同時に載置台２に接触して、各パネルが安定して立設させることができるのであれば、第１側面パネル１４の底面１４ｃと収納ポケット４２の底面４２ａと、第２側面パネル１５の底面１５ｃと収納ポケット５２の底面５２ａとはそれぞれ面一にする必要はない。
【００４８】
（持ち運び用ベルト・収納ポケット）
図８は、持ち運び可能な状態の空間形成具１を使用者３が持ち運ぶ様子を示す図である。図８の例では、使用者３は、正面パネル１１の背面１１ｄが自分の体に面しないように空間形成具１を持ち運んでいる。
【００４９】
空間形成具１において、正面パネル１１の正面１１ｃの反対面である背面１１ｄと、第２側面パネル１５の正面１５ａの反対面である背面１５ｂとに、一対の持ち運び用ベルト６４が設けられている。このように設けられた持ち運び用ベルト６４を使用者３が持つことで、負荷がかかることなく空間形成具１を持ち運ぶことができる。持ち運び用ベルト６４の長さは、図８に示すように、使用者３の肩に掛けて持ち運べる長さに設定されている、又は、調整可能であることが好ましい。これにより、使用者３が小さな子供でも、持ち運び用ベルト６４を肩に掛ければ負荷がかかることなく空間形成具１を持ち運ぶことができる。
【００５０】
さらに、正面パネル１１の背面１１ｄには、収納ポケット６５が設けられている。背面１１ｄに、収納ポケット６５を設けることで、例えば、収納ポケット６５が透明であれば、使用者３を識別するための絵、写真等を入れる等の使い方が可能となる。なお、収納ポケット６５のサイズは任意であり、収納ポケット６５の数は複数であってもよい。また、収納ポケット６５は、正面パネル１１の背面１１ｄに対して着脱自在に設けてもよい。この場合、一つの空間形成具１を複数の使用者３によって共有する場合に、収納ポケット６５を取替えるだけで、使用者３を容易に識別することが可能となる。
【００５１】
本考案は上述した実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【符号の説明】
【００５２】
１  空間形成具、２  載置台、３  使用者、１１  正面パネル、１１ａ  側端、１１ｂ  側端、１１ｃ  正面（形成面）、１１ｄ  背面、１２  第１補助パネル（補助パネル）、１２ａ  側端、１２ｂ  側端、１３  第２補助パネル（補助パネル）、１３ａ  側端、１３ｂ  側端、１４  第１側面パネル（側面パネル）、１４ａ  正面（形成面）、１４ｂ  背面、１４ｃ  底面、１５  第２側面パネル（側面パネル）、１５ａ  正面（形成面）、１５ｂ  背面、１５ｃ  底面、２１  第１取付部、２２  第２取付部、３１  照明装置、３２  マグネット、４１  クリアポケット、４２  収納ポケット、４２ａ  底面、５１  第３取付部、５２  収納ポケット、５２ａ  底面、６１  第１維持部材、６１ａ  フック部、６１ｂ  ループ部、６２  第２維持部材、６２ａ  オス部、６２ｂ  メス部、６３  カバー、６３ａ  フック部、６３ｂ  ループ部、６４  持ち運び用ベルト、６５  収納ポケット、３０１  照明装置本体、３０１ａ  照射面、３０２  電源ケーブル、３０３  取付具、３０３ａ  第１固定部、３０３ｂ  第２固定部
【図１】
0003232882.tif 000003
【図２】
0003232882.tif 000004
【図３】
0003232882.tif 000005
【図４】
0003232882.tif 000006
【図５】
0003232882.tif 000007
【図６】
0003232882.tif 000008
【図７】
0003232882.tif 000009
【図８】
0003232882.tif 000010